(57)【要約】  既存のＬＴＥシステムと異なるデータスケジューリング方法を適用する場合であっても、ＤＬデータの受信及びＨＡＲＱ−ＡＣＫの送信を適切に行うこと。本発明の一態様に係るユーザ端末は、ＤＬ制御情報を受信する受信部と、前記ＤＬ制御情報でスケジューリングされるＤＬデータの受信と、前記ＤＬデータの送達確認情報の送信と、を制御する制御部と、を有し、前記ＤＬ制御情報は、前記ＤＬ制御情報の受信タイミングと、前記ＤＬデータの受信タイミングと、前記送達確認情報の送信タイミングと、の関係を示し、前記制御部は、前記ＤＬ制御情報に基づいて、前記ＤＬデータの受信タイミングと、前記送達確認情報の送信タイミングと、を決定することを特徴とする。
2018158923.tif 000002
【特許請求の範囲】
【請求項１】
ＤＬ制御情報を受信する受信部と、
前記ＤＬ制御情報でスケジューリングされるＤＬデータの受信と、前記ＤＬデータの送達確認情報の送信と、を制御する制御部と、
を有し、
前記ＤＬ制御情報は、前記ＤＬ制御情報の受信タイミングと、前記ＤＬデータの受信タイミングと、前記送達確認情報の送信タイミングと、の関係を示し、
前記制御部は、前記ＤＬ制御情報に基づいて、前記ＤＬデータの受信タイミングと、前記送達確認情報の送信タイミングと、を決定することを特徴とするユーザ端末。
【請求項２】
前記制御部は、前記ＤＬ制御情報を受信するスロットよりも後のスロットで、前記ＤＬデータの受信を制御することを特徴とする請求項１に記載のユーザ端末。
【請求項３】
前記制御部は、前記ＤＬ制御情報に基づいて、複数のスロットにわたって複数のＤＬデータをそれぞれ受信することを制御し、１つのスロットで前記複数のＤＬデータの送達確認情報を送信することを制御することを特徴とする請求項１又は２に記載のユーザ端末。
【請求項４】
前記制御部は、前記ＤＬ制御情報に基づいて、複数のスロットにわたって複数のＤＬデータをそれぞれ受信することを制御し、複数のスロットにわたって複数の送達確認情報をそれぞれ送信することを制御することを特徴とする請求項１又は２に記載のユーザ端末。
【請求項５】
前記ＤＬデータの受信タイミングと、前記送達確認情報の送信タイミングと、の関係は、前記ユーザ端末の能力を示す情報に基づいて決定されることを特徴とする請求項１〜４のいずれかに記載のユーザ端末。
【請求項６】
ユーザ端末の無線通信方法であって、
ＤＬ制御情報を受信する工程と、
前記ＤＬ制御情報でスケジューリングされるＤＬデータを受信する工程と、
前記ＤＬデータの送達確認情報を送信する工程と、を有し、
前記ＤＬ制御情報は、前記ＤＬ制御情報の受信タイミングと、前記ＤＬデータの受信タイミングと、前記送達確認情報の送信タイミングと、の関係を示し、
前記ユーザ端末は、前記ＤＬ制御情報に基づいて、前記ＤＬデータの受信タイミングと、前記送達確認情報の送信タイミングと、を決定することを特徴とする無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８又は９ともいう）からの更なる広帯域化及び高速化を目的として、ＬＴＥ−Ａ（ＬＴＥアドバンスト、ＬＴＥ  Ｒｅｌ．１０、１１又は１２ともいう）が仕様化され、ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１３、１４又は１５以降などともいう）も検討されている。【０００３】
既存のＬＴＥシステム（例えば、ＬＴＥ  Ｒｅｌ．８−１３）では、１ｍｓのサブフレーム（伝送時間間隔（ＴＴＩ：Transmission  Time  Interval）などともいう）を用いて、下りリンク（ＤＬ：Downlink）及び／又は上りリンク（ＵＬ：Uplink）の通信が行われる。当該サブフレームは、チャネル符号化された１データパケットの送信時間単位であり、スケジューリング、リンクアダプテーション、再送制御（ＨＡＲＱ：Hybrid  Automatic  Repeat  reQuest）などの処理単位となる。【０００４】
無線基地局は、ユーザ端末（例えば、ＵＥ：User  Equipment）に対するデータの割当て（スケジューリング）を制御し、下り制御情報（ＤＣＩ：Downlink  Control  Information）を用いてデータのスケジューリングをユーザ端末に通知する。ユーザ端末は、下り制御情報に基づいてＤＬデータの受信及び上りデータの送信を制御する。例えば、既存のＬＴＥシステムでは、ユーザ端末は、ＵＬ送信を指示する下り制御情報（例えば、ＵＬグラント）を受信した場合、所定期間後（例えば、４ｍｓ後）のサブフレームにおける上りデータの送信を行う。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＬＴＥ  Ｒｅｌ．１４、１５以降、５Ｇ、ＮＲなど）では、既存のＬＴＥシステム（例えば、ＬＴＥ  Ｒｅｌ．１３以前）とは異なる構成でデータのスケジューリングを制御することが想定される。【０００７】
例えば、既存のＬＴＥシステムでは、所定の送信時間間隔（サブフレーム）毎に送信される下り制御情報に基づいて各サブフレームのＤＬデータがスケジューリングされる。また、あるサブフレームで送信される下り制御情報に基づいて所定期間後のＵＬデータがスケジューリングされる。一方、将来の無線通信システムでは、ある送信時間間隔（例えば、スロット）で送信される下り制御情報を利用して、同一スロット及び／又は異なるスロットにおけるデータ（ＵＬデータ及び／又はＤＬデータ）のスケジューリングを制御することが検討されている。なお、特定スロットの下り制御情報を利用して異なるスロットのデータをスケジューリングすることを、クロススロットスケジューリング（cross-slot  scheduling）とも呼ぶ。【０００８】
クロススロットスケジューリングを適用する場合、ＤＬデータのタイミングと、当該ＤＬデータに対応するＨＡＲＱ−ＡＣＫのタイミングとをどのように制御するかが問題となる。ＤＬデータ及びＨＡＲＱ−ＡＣＫのタイミングを制御する場合、ユーザ端末がＤＬデータ及びＨＡＲＱ−ＡＣＫのタイミングをどのように判断するかが問題となる。【０００９】
本発明はかかる点に鑑みてなされたものであり、既存のＬＴＥシステムと異なるデータスケジューリング方法を適用する場合であっても、ＤＬデータの受信及びＨＡＲＱ−ＡＣＫの送信を適切に行うことができるユーザ端末及び無線通信方法を提供することを目的の１つとする。
【課題を解決するための手段】
【００１０】
本発明の一態様に係るユーザ端末は、ＤＬ制御情報を受信する受信部と、前記ＤＬ制御情報でスケジューリングされるＤＬデータの受信と、前記ＤＬデータの送達確認情報の送信と、を制御する制御部と、を有し、前記ＤＬ制御情報は、前記ＤＬ制御情報の受信タイミングと、前記ＤＬデータの受信タイミングと、前記送達確認情報の送信タイミングと、の関係を示し、前記制御部は、前記ＤＬ制御情報に基づいて、前記ＤＬデータの受信タイミングと、前記送達確認情報の送信タイミングと、を決定することを特徴とする。
【発明の効果】
【００１１】
本発明によれば、既存のＬＴＥシステムと異なるデータスケジューリング方法を適用する場合であっても、ＤＬデータの受信及びＨＡＲＱ−ＡＣＫの送信を適切に行うことができる。
【図面の簡単な説明】
【００１２】
【図１】クロススロットスケジューリングの一例を示す図である。
【図２】図２Ａ及び図２Ｂは、第１の実施形態に係るスケジューリングの一例を示す図である。
【図３】図３Ａ−図３Ｃは、ｋ及びｍと指示情報との関連付けの一例を示す図である。
【図４】マルチスロットスケジューリングの一例を示す図である。
【図５】図５Ａ及び図５Ｂは、ＨＡＲＱ−ＡＣＫ送信方法１の一例を示す図である。
【図６】図６Ａ及び図６Ｂは、ＨＡＲＱ−ＡＣＫ送信方法２の一例を示す図である。
【図７】ｋ、ｍ、及びｗと指示情報との関連付けの一例を示す図である。
【図８】本発明の一実施形態に係る無線通信システムの概略構成の一例を示す図である。
【図９】本発明の一実施形態に係る無線基地局の全体構成の一例を示す図である。
【図１０】本発明の一実施形態に係る無線基地局の機能構成の一例を示す図である。
【図１１】本発明の一実施形態に係るユーザ端末の全体構成の一例を示す図である。
【図１２】本発明の一実施形態に係るユーザ端末の機能構成の一例を示す図である。
【図１３】本発明の一実施形態に係る無線基地局及びユーザ端末のハードウェア構成の一例を示す図である。
【発明を実施するための形態】
【００１３】
既存のＬＴＥシステムにおいて、基地局は、ＵＥに対して下り制御チャネル（例えば、ＰＤＣＣＨ（Physical  Downlink  Control  Channel）、拡張ＰＤＣＣＨ（ＥＰＤＣＣＨ：Enhanced  PDCCH）など）を用いて下り制御情報（ＤＣＩ：Downlink  Control  Information）を送信する。下り制御情報を送信するとは、下り制御チャネルを送信すると読みかえられてもよい。
【００１４】
ＤＣＩは、例えばデータをスケジューリングする時間・周波数リソースやトランスポートブロック情報、データ変調方式情報、ＨＡＲＱ再送情報、復調用ＲＳに関する情報、などの少なくとも１つを含むスケジューリング情報であってもよい。ＤＬデータ受信及び／又はＤＬ参照信号の測定をスケジューリングするＤＣＩは、ＤＬアサインメントまたはＤＬグラントと呼ばれてもよいし、ＵＬデータ送信及び／又はＵＬサウンディング（測定用）信号の送信をスケジューリングするＤＣＩは、ＵＬグラントと呼ばれてもよい。ＤＬアサインメント及び／又はＵＬグラントには、ＤＬデータに対するＨＡＲＱ−ＡＣＫフィードバックやチャネル測定情報（ＣＳＩ：Channel  State  Information）などのＵＬ制御信号（ＵＣＩ：Uplink  Control  Information）を送信するチャネルのリソースや系列、送信フォーマットに関する情報が含まれていてもよい。また、ＵＬ制御信号（ＵＣＩ：Uplink  Control  Information）をスケジューリングするＤＣＩがＤＬアサインメント及びＵＬグラントとは別に規定されてもよい。
【００１５】
また、将来の無線通信システムでは、ある送信時間間隔（例えば、スロット）で送信される下り制御情報を利用して、同一スロット及び／又は異なるスロットにおけるＵＬデータ及び／又はＤＬデータのスケジューリングを制御することが検討されている（図１）。
【００１６】
図１は、特定スロット（ここでは＃ｎ）で送信される下り制御情報（下り制御チャネル）が当該特定スロット（＃ｎ）と他のスロット（＃ｎ＋１）のスケジューリングを制御する場合を示している。ＵＥは、特定スロット（＃ｎ）で受信した下り制御情報に基づいて、当該特定スロット（＃ｎ）及び他のスロット（＃ｎ＋１）におけるデータの送信及び／又は受信を制御する。このように、特定スロット（ここでは、スロット＃ｎ）の下り制御情報を利用して他のスロット（ここでは、スロット＃ｎ＋１）のデータをスケジューリングすることは、クロススロットスケジューリング（cross-slot  scheduling）とも呼ばれる。なお、特定スロットの下り制御情報を利用して、同一の特定スロットのデータをスケジューリングすることは、セルフスロットスケジューリングとも呼ばれる。
【００１７】
クロススロットスケジューリングを適用する場合、ＤＬデータがスケジューリングされるスロットで必ずしも当該ＤＬデータをスケジューリングする下り制御情報が送信されないケースも生じる。かかる場合、ＵＥがＤＬデータの割当てタイミング（スケジューリングタイミングとも呼ばれる）をどのように判断するかが問題となる。
【００１８】
ところで、将来の無線通信システム（例えば、ＮＲ）では、ＵＥは異なる処理能力を有することが考えられる。ＵＥによっては、より短い処理遅延での信号処理をサポートすることが考えられる。
【００１９】
例えば、あるＵＥは、自己完結型（self-contained）の動作をサポートする可能性がある。ここで、自己完結型の動作とは、例えば特定の期間（サブフレーム、スロットなど）内で特定のＤＬ信号（データ信号など）の受信と、当該ＤＬ信号に基づくＵＬ信号（ＨＡＲＱ−ＡＣＫなど）の送信（フィードバック）を完了する動作のことであってもよい。つまり、自己完結型の動作をサポートするＵＥは、高い処理能力を有すると想定される。
【００２０】
このため、自己完結型の動作をサポートするＵＥは、ＤＬデータのためのＤＬアサインメントをサブフレーム＃ｎで検出すると、当該ＤＬデータに対するＨＡＲＱ−ＡＣＫを同じサブフレーム＃ｎで送信してもよい。また、ＵＥは、ＵＬデータのためのＵＬグラントをサブフレーム＃ｎで検出すると、当該ＵＬデータをサブフレーム＃ｎで送信してもよい。
【００２１】
一方で、別のＵＥは、もう少し長い処理時間を必要とする可能性がある。この処理時間は、複数のＵＥで異なる可能性がある。
【００２２】
ＵＥにおける最小のＨＡＲＱ処理時間は、最小ＨＡＲＱ処理能力（minimum  HARQ  processing  capability）とも呼ばれる。ＨＡＲＱ処理時間は、ＤＬデータを受信するタイミングから、対応するＨＡＲＱ−ＡＣＫを送信するタイミング（ＨＡＲＱ−ＡＣＫタイミングとも呼ばれる）までの遅延を含んでもよい。例えば、あるＵＥの最小ＨＡＲＱ処理能力が３スロットである場合、当該ＵＥは、ＤＬデータの受信タイミングからＨＡＲＱ−ＡＣＫの送信タイミングまでの時間を３スロットよりも短くすることができない。
【００２３】
ＵＥの最小ＨＡＲＱ処理能力は、当該ＵＥの処理能力に依存するため、ＵＥは、自身の最小ＨＡＲＱ処理能力を無線基地局に報告してもよい。
【００２４】
ＵＥの処理能力が異なる場合、ＨＡＲＱ−ＡＣＫタイミングを柔軟に設定できることが好ましい。しかし、ＵＥがＨＡＲＱ−ＡＣＫタイミングをどのように判断するかが問題となる。
【００２５】
また、リソースの利用効率を考慮すると、ＤＬデータ及びＨＡＲＱ−ＡＣＫのタイミングは動的に変更できることが好ましい。本発明者等は、スケジューリングタイミング及びＨＡＲＱ−ＡＣＫタイミングを、下り制御情報により、ユーザ端末に通知することを着想した。
【００２６】
以下に本実施の形態について図面を参照して詳細に説明する。各実施形態に係る無線通信方法は、それぞれ単独で適用されてもよいし、組み合わせて適用されてもよい。以下の実施形態では、データのスケジューリングをスロット単位で制御する場合を示すが、他の時間単位（例えば、サブフレーム、ミニスロット、サブスロット、送信時間間隔（ＴＴＩ：Transmission  Time  Interval）、ショートＴＴＩ、無線フレームなど）にも同様に適用することができる。
【００２７】
（無線通信方法）
＜第１の実施形態＞
本発明の第１の実施形態では、１つのスロットのＤＣＩが同一又は他の１つのスロットのＤＬデータをスケジューリングする場合について説明する。
【００２８】
例えば、図２Ａ又は図２Ｂに示すように、スロット＃ｎでＤＣＩが送信され、当該ＤＣＩによりスケジューリングされたＤＬデータがスロット＃ｎ＋ｋで送信される。ここで、ｋは０以上の整数である。ｋが０である場合はセルフスロットスケジューリングと呼ばれ、ｋが正である場合はクロススロットスケジューリングと呼ばれる。
【００２９】
ＤＣＩは、スケジューリングタイミングを示すｋの値を動的に指示する。更に、ＤＣＩは、ＨＡＲＱ−ＡＣＫタイミングを示すｍの値を動的に指示する。これにより、これにより、無線基地局は、ＤＬデータのスケジューリングタイミングと、当該ＤＬデータに対応するＨＡＲＱ−ＡＣＫタイミングと、をユーザ端末へ動的に設定することができる。
【００３０】
《ＨＡＲＱ−ＡＣＫタイミング設定方法》
次に、ＨＡＲＱ−ＡＣＫタイミングを設定する方法の例であるＨＡＲＱ−ＡＣＫタイミング設定方法１、２について説明する。
【００３１】
ＨＡＲＱ−ＡＣＫタイミング設定方法１では、図２Ａに示すように、ｍがＤＣＩにより指定され、当該ＤＣＩによりスケジューリングされたスロットに対するＨＡＲＱ−ＡＣＫがスロット＃ｎ＋ｍで送信される。すなわち、ＨＡＲＱ−ＡＣＫは、ＤＣＩを受信したスロットから数えてｍ番目のスロットで送信される。
【００３２】
ここで、ＵＥは、ｍがｋ以上である（ｍ＞＝ｋ）と想定する。すなわち、ＨＡＲＱ−ＡＣＫを送信するスロットは、対応するＤＬデータを受信するスロットと同一又はそれよりも後である。
【００３３】
更に、ｍ−ｋの値は、ＵＥの最小ＨＡＲＱ処理能力と等しい又はそれよりも大きい。すなわち、１つのＤＣＩに基づくＤＬデータを受信するスロットから、対応するＨＡＲＱ−ＡＣＫを送信するスロットまでの時間は、ＵＥがＤＬデータの処理に必要な時間と等しい又はそれよりも長い。
【００３４】
ＨＡＲＱ−ＡＣＫタイミング設定方法１によれば、無線基地局がＵＥの最小ＨＡＲＱ処理能力、ＤＬデータをスケジューリングするタイミング（すなわちｋの値）に基づいてＨＡＲＱ−ＡＣＫタイミングを決定することにより、ＵＥの受信処理が間に合わずに次のデータの受信に失敗するような問題を防ぐことができる。また、ＤＬデータのスケジューリングタイミングとＨＡＲＱ−ＡＣＫタイミングを柔軟に設定することができる。
【００３５】
ＨＡＲＱ−ＡＣＫタイミング設定方法２では、図２Ｂに示すように、ｍがＤＣＩにより指定され、当該ＤＣＩによりスケジューリングされたスロットに対するＨＡＲＱ−ＡＣＫがスロット＃ｎ＋ｍ＋ｋで送信される。すなわち、ＨＡＲＱ−ＡＣＫは、ＤＬデータを送信したスロットから数えてｍ番目のスロットで送信される。
【００３６】
ここで、ＵＥは、ｍが０以上である（ｍ＞＝０）と想定する。すなわち、ＨＡＲＱ−ＡＣＫを送信するスロットは、対応するＤＬデータを受信するスロットと同一又はそれよりも後である。
【００３７】
更に、ｍの値は、ＵＥの最小ＨＡＲＱ処理能力と等しい又はそれよりも大きい。すなわち、１つのＤＣＩに基づくＤＬデータを受信するスロットから、対応するＨＡＲＱ−ＡＣＫを送信するスロットまでの時間は、ＵＥがＤＬデータの処理に必要な時間と等しい又はそれよりも長い。
【００３８】
ＨＡＲＱ−ＡＣＫタイミング設定方法２によれば、ＨＡＲＱ−ＡＣＫタイミング設定方法１と同様、ＵＥの受信処理が間に合わずに次のデータの受信に失敗するような問題を防ぐことができる。また、ＨＡＲＱ−ＡＣＫタイミング設定方法２におけるｍは、ＨＡＲＱ−ＡＣＫタイミング設定方法１におけるｍよりも小さくできる。よって、ＨＡＲＱ−ＡＣＫタイミング設定方法２における通知の情報量は、ＨＡＲＱ−ＡＣＫタイミング設定方法１における通知の情報量よりも小さくできる。
【００３９】
《ＤＣＩ構成》
次に、スケジューリングタイミング及びＨＡＲＱ−ＡＣＫタイミングを示すＤＣＩの構成の例であるＤＣＩ構成１−１、１−２について説明する。
【００４０】
ＤＣＩ構成１−１では、ＤＣＩが、スケジューリングタイミングを指示する指示情報（indicator）Ａのフィールドと、ＨＡＲＱ−ＡＣＫタイミングを指示する指示情報Ｂのフィールドとを個別に含む。ｋの値が指示情報Ａの値に関連付けられ、ｍの値が指示情報Ｂの値に関連付けられていてもよい。例えば、指示情報Ａの値の複数の候補にそれぞれ関連付けられたｋの値の複数の候補と、指示情報Ｂの値の複数の候補にそれぞれ関連付けられたｍの値の複数の候補とが、上位レイヤシグナリング（例えば、ＲＲＣ（Radio  Resource  Control）シグナリング、ＭＡＣ（Medium  Access  Control）シグナリング）により設定されてもよい。
【００４１】
例えば、指示情報Ａ及びＢのそれぞれがＤＣＩ内の２ビットフィールドである場合、各指示情報は４個の値を取り得る。この場合、図３Ａに示すように、指示情報Ａの４個の値にそれぞれ関連付けられたｋの４つの値と、図３Ｂに示すように、指示情報Ｂの４個の値にそれぞれ関連付けられたｍの４つの値と、が上位レイヤシグナリングによりＵＥに設定されてもよい。その後、ＵＥは、ＤＣＩを受信し、指示情報Ａ及びＢの値にそれぞれ対応するｋ及びｍを認識することにより、スケジューリングタイミング及びＨＡＲＱ−ＡＣＫタイミングを決定してもよい。
【００４２】
ＤＣＩ構成１−１によれば、スケジューリングタイミング及びＨＡＲＱ−ＡＣＫタイミングを独立に設定することができる。例えば、スケジューリングタイミングの変化によらずＨＡＲＱ−ＡＣＫタイミングを設定することができる。
【００４３】
ＤＣＩ構成１−２では、ＤＣＩが、スケジューリングタイミングと、ＨＡＲＱ−ＡＣＫタイミングとを指示する１つの指示情報Ｃのフィールドを含む。｛ｋ，ｍ｝の値の組み合わせが、指示情報Ｃの値に関連付けられていてもよい。例えば、指示情報Ｃの値の複数の候補にそれぞれ関連付けられた｛ｋ，ｍ｝の値の組み合わせの複数の候補が、上位レイヤシグナリングにより設定されてもよい。
【００４４】
例えば、指示情報Ｃが３ビットフィールドである場合、指示情報Ｃは８個の値を取り得る。この場合、図３Ｃに示すように、指示情報Ｃの８個の値にそれぞれ関連付けられた｛ｋ，ｍ｝の値の８個の組み合わせが、上位レイヤシグナリングにより設定されてもよい。その後、ＵＥは、ＤＣＩを受信し、指示情報Ｃの値に基づいてｋ及びｍの値を認識することにより、スケジューリングタイミング及びＨＡＲＱ−ＡＣＫタイミングを決定してもよい。
【００４５】
ＤＣＩ構成１−２によれば、ｋ及びｍを１つのフィールドで設定することにより、無線基地局からＵＥへｋ及びｍを動的に通知する情報量を抑えることができる。
【００４６】
＜第２の実施形態＞
本発明の第２の実施形態では、１つのスロットのＤＣＩが複数のスロットのＤＬデータをスケジューリングする場合について説明する。このスケジューリングは、マルチスロットスケジューリング、スロットアグリゲーションとも呼ばれる。
【００４７】
例えば、図４に示すように、スロット＃ｎでＤＣＩが送信され、当該ＤＣＩによりスケジューリングされたＤＬデータが、スロット＃ｎ＋ｋからスロット＃ｎ＋ｋ＋ｗ−１までの複数のスロットで送信される。ここで、ｗは１以上の整数である。
【００４８】
ｗは、スロット＃ｎ内のＤＣＩによりスケジューリングされるスロットの数を示す。ｗの値は、上位レイヤシグナリング（例えば、ＲＲＣ（Radio  Resource  Control）シグナリング、ＭＡＣ（Medium  Access  Control）シグナリング）により設定されてもよいし、ブロードキャスト情報（ＭＩＢ（Master  Information  Block）、ＳＩＢ（System  Information  Block）など）により通知されてもよいし、物理レイヤシグナリング（例えば、下り制御情報（ＤＣＩ：Downlink  Control  Information））により指示されてもよいし、これらの組み合わせにより、ネットワーク（例えば無線基地局）からユーザ端末に設定されてもよい。
【００４９】
ｗ個のスロットにわたる複数のＤＬデータは、異なるＨＡＲＱプロセスを持つ異なるトランスポートブロック（ＴＢ）であってもよい。この場合、オーバーヘッドを減らし、データレートを向上させることができる。
【００５０】
ｗ個のスロットにわたる複数のＤＬデータは、同一のＨＡＲＱプロセスを持つ同一のトランスポートブロックであってもよい。この場合、ｗ個のスロットにわたる複数のＤＬデータは、同一のリダンダンシーバージョン（redundancy  version）を持つトランスポートブロックであってもよいし、異なるリダンダンシーバージョンを持つトランスポートブロックであってもよい。この場合、同一のデータを繰り返し送信するため、カバレッジを拡大することができる。
【００５１】
ＤＣＩは、スケジューリングタイミングを示すｋの値を動的に指示する。更に、ＤＣＩは、ＨＡＲＱ−ＡＣＫタイミングを示すｍの値を動的に指示する。これにより、無線基地局は、ＤＬデータのスケジューリングタイミングと、当該ＤＬデータに対応するＨＡＲＱ−ＡＣＫタイミングと、をユーザ端末へ動的に設定することができる。
【００５２】
次に、複数のスロットにわたるＤＬデータのＨＡＲＱ−ＡＣＫを送信する方法の例であるＨＡＲＱ−ＡＣＫ送信方法１、２について説明する。
【００５３】
《ＨＡＲＱ−ＡＣＫ送信方法１及びＨＡＲＱ−ＡＣＫタイミング設定方法》
ＨＡＲＱ−ＡＣＫ送信方法１では、上位レイヤ設定に基づき、１つのＤＣＩに基づく複数のＨＡＲＱ−ＡＣＫが、バンドリング又は多重により、同一のスロットで送信される。例えば、バンドリングを用いる場合、ＵＥは、複数のＨＡＲＱ−ＡＣＫを圧縮し、圧縮された情報を１つのスロット内の１つのフィールドで送信する。多重を用いる場合、ＵＥは、複数のＨＡＲＱ−ＡＣＫを、１つのスロット内の複数のフィールドでそれぞれ送信する。
【００５４】
ＨＡＲＱ−ＡＣＫ送信方法１のためのＨＡＲＱ−ＡＣＫタイミング設定方法の例であるＨＡＲＱ−ＡＣＫタイミング設定方法１−１、１−２について説明する。
【００５５】
ＨＡＲＱ−ＡＣＫタイミング設定方法１−１では、図５Ａに示すように、ｍがＤＣＩにより指定され、当該ＤＣＩによりスケジューリングされた複数のスロット＃ｎ＋ｋ，＃ｎ＋ｋ＋１，…，＃ｎ＋ｋ＋ｗ−１のＨＡＲＱ−ＡＣＫが、１つのスロット＃ｎ＋ｍで送信される。すなわち、ＨＡＲＱ−ＡＣＫは、ＤＣＩを受信したスロットから数えてｍ番目のスロットで送信される。
【００５６】
ここで、ＵＥは、ｍがｋ＋ｗ−１以上である（ｍ＞＝ｋ＋ｗ−１）と想定する。すなわち、ＨＡＲＱ−ＡＣＫを送信するスロットは、対応するＤＬデータを受信する最後のスロットと同一又はそれよりも後である。
【００５７】
更に、ｍ−ｋ−ｗ＋１の値は、ＵＥの最小ＨＡＲＱ処理能力と同一又はそれよりも大きい。すなわち、１つのＤＣＩに基づくＤＬデータを受信する最後のスロットから、当該ＤＣＩに基づくＨＡＲＱ−ＡＣＫを送信するスロットまでの時間は、ＵＥがＤＬデータの処理に必要な時間と等しい又はそれよりも長い。
【００５８】
ＨＡＲＱ−ＡＣＫタイミング設定方法１−２では、図５Ｂに示すように、ｍがＤＣＩにより指定され、当該ＤＣＩによりスケジューリングされた複数のスロット＃ｎ＋ｋ，＃ｎ＋ｋ＋１，…，＃ｎ＋ｋ＋ｗ−１のＨＡＲＱ−ＡＣＫが、１つのスロット＃ｎ＋ｍ＋ｋ＋ｗ−１で送信される。すなわち、ＨＡＲＱ−ＡＣＫは、ＤＬデータを受信するｗ個のスロットの最後のスロットから数えてｍ番目のスロットで送信される。
【００５９】
ここで、ＵＥは、ｍが０以上である（ｍ＞＝０）と想定する。すなわち、ＨＡＲＱ−ＡＣＫを送信するスロットは、対応するＤＬデータを受信する最後のスロットと同一又はそれよりも後である。
【００６０】
更に、ｍの値は、ＵＥの最小ＨＡＲＱ処理能力と同一又はそれよりも大きい。すなわち、１つのＤＣＩに基づくＤＬデータを受信する最後のスロットから、当該ＤＣＩに基づくＨＡＲＱ−ＡＣＫを送信するスロットまでの時間は、ＵＥがＤＬデータの処理に必要な時間と等しい又はそれよりも長い。
【００６１】
以上のＨＡＲＱ−ＡＣＫ送信方法１によれば、複数のスロットのＤＬデータに対応するＨＡＲＱ−ＡＣＫを１つのスロットで送信することにより、ＨＡＲＱ−ＡＣＫに割り当てるリソース量を抑えることができる。
【００６２】
《ＨＡＲＱ−ＡＣＫ送信方法２及びＨＡＲＱ−ＡＣＫタイミング設定方法》
ＨＡＲＱ−ＡＣＫ送信方法２では、１つのＤＣＩに基づく複数のＨＡＲＱ−ＡＣＫが、複数のスロットでそれぞれ送信される。すなわち、１つのＤＣＩでスケジューリングされた複数のスロットにそれぞれ対応する複数のＨＡＲＱ−ＡＣＫは、異なるスロットで送信される。
【００６３】
ＨＡＲＱ−ＡＣＫ送信方法２のためのＨＡＲＱ−ＡＣＫタイミング設定方法の例であるＨＡＲＱ−ＡＣＫタイミング設定方法２−１、２−２について説明する。
【００６４】
ＨＡＲＱ−ＡＣＫタイミング設定方法２−１では、図６Ａに示すように、ｍがＤＣＩにより指定され、当該ＤＣＩによりスケジューリングされた複数のスロット＃ｎ＋ｋ，＃ｎ＋ｋ＋１，…，＃ｎ＋ｋ＋ｗ−１のＨＡＲＱ−ＡＣＫが、複数のスロット＃ｎ＋ｍ，＃ｎ＋ｍ＋１，…，＃ｎ＋ｍ＋ｗ−１でそれぞれ送信される。すなわち、ＤＣＩを受信したスロットから数えてｍ番目のスロットから始まるｗ個のスロットで、ＨＡＲＱ−ＡＣＫが送信される。また、ＤＬデータを受信するスロットから数えて、ｍ−ｋ番目のスロットで当該ＤＬデータに対応するＨＡＲＱ−ＡＣＫが送信される。
【００６５】
ここで、ＵＥは、ｍがｋ＋ｗ−１以上である（ｍ＞＝ｋ＋ｗ−１）と想定する。すなわち、ＨＡＲＱ−ＡＣＫを送信するスロットは、対応するＤＬデータを受信する最後のスロットと同一又はそれよりも後である。
【００６６】
更に、ｍ−ｋ−ｗ＋１の値は、ＵＥの最小ＨＡＲＱ処理能力と同一又はそれよりも大きい。すなわち、１つのＤＣＩに基づくＤＬデータを受信する最後のスロットから、当該ＤＣＩに基づくＨＡＲＱ−ＡＣＫを送信するスロットまでの時間は、ＵＥがＤＬデータの処理に必要な時間と等しい又はそれよりも長い。
【００６７】
ＨＡＲＱ−ＡＣＫタイミング設定方法２−２では、図６Ｂに示すように、ｍがＤＣＩにより指定され、当該ＤＣＩによりスケジューリングされた複数のスロット＃ｎ＋ｋ，＃ｎ＋ｋ＋１，…，＃ｎ＋ｋ＋ｗ−１のＨＡＲＱ−ＡＣＫが、複数のスロット＃ｎ＋ｍ＋ｋ，＃ｎ＋ｍ＋ｋ＋１，…，＃ｎ＋ｍ＋ｋ＋ｗ−１でそれぞれ送信される。すなわち、ＤＬデータを受信するスロットから数えてｍ番目のスロットで、ＨＡＲＱ−ＡＣＫが送信される。
【００６８】
ここで、ＵＥは、ｍが０以上である（ｍ＞＝０）と想定する。すなわち、ＨＡＲＱ−ＡＣＫを送信するスロットは、対応するＤＬデータを受信する最後のスロットと同一又はそれよりも後である。
【００６９】
更に、ｍの値は、ＵＥの最小ＨＡＲＱ処理能力と同一又はそれよりも大きい。すなわち、１つのＤＣＩに基づくＤＬデータを受信する最後のスロットから、当該ＤＣＩに基づくＨＡＲＱ−ＡＣＫを送信するスロットまでの時間は、ＵＥがＤＬデータの処理に必要な時間と等しい又はそれよりも長い。
【００７０】
以上のＨＡＲＱ−ＡＣＫ送信方法１によれば、１つのＤＣＩによりスケジューリングされたＤＬデータを受信する各スロットから、対応するＨＡＲＱ−ＡＣＫを送信するスロットまでの時間を一定にすることにより、ＨＡＲＱ−ＡＣＫタイミングの制御を容易にすることができる。
【００７１】
なお、ＨＡＲＱ−ＡＣＫ送信方法１の図５では当該ＤＣＩでスケジューリングされたＴＢすべてに対してＨＡＲＱ−ＡＣＫを１度に送信しており、ＨＡＲＱ−ＡＣＫ送信方法２の図６では当該ＤＣＩでスケジューリングされた各ＴＢに対してそれぞれＨＡＲＱ−ＡＣＫを送信する例を記載したが、この限りではない。例えば、当該ＤＣＩでスケジューリングされたＴＢのうち一部に対しては、バンドリング又は多重によりＨＡＲＱ−ＡＣＫを送信し、それ以外のＴＢに対してはそれぞれＨＡＲＱ−ＡＣＫを送信するものとしてもよい。バンドリング又は多重を行うＴＢとそうでないＴＢは、明示的なシグナリングで指定されるものとしてもよいし、暗黙的なルールに基づいて決定されるものとしてもよい。例えば、当該ＤＣＩでスケジューリングされる複数ＴＢのうち、時間的に早い（ＤＣＩ検出から時間的に近い）ＴＢに対してはバンドリングまたは多重を行ってＨＡＲＱ−ＡＣＫを送信し、時間的に遅い（ＤＣＩ検出から時間的に遠い）ＴＢに対してはそれぞれＨＡＲＱ−ＡＣＫを送信することができる。この場合、ＨＡＲＱ−ＡＣＫフィードバックのオーバーヘッドを削減しつつ、時間的に遅いＴＢに対するＨＡＲＱ−ＡＣＫフィードバックまでの時間を確保することが容易となる。
【００７２】
《ＤＣＩ構成》
次に、第２の実施形態におけるＤＣＩ構成の例である、ＤＣＩ構成２−１、２−２、２−３について説明する。
【００７３】
ＤＣＩ構成２−１では、ＤＣＩ構成１−１と同様、ＤＣＩが、ＤＬデータのスケジューリングタイミングを指示する指示情報Ａのフィールドと、ＨＡＲＱ−ＡＣＫタイミングを指示する指示情報Ｂのフィールドとを個別に含む。ｋの値が指示情報Ａの値に関連付けられ、ｍの値が指示情報Ｂの値に関連付けられていてもよい。例えば、指示情報Ａの値の複数の候補にそれぞれ関連付けられたｋの値の複数の候補と、指示情報Ｂの値の複数の候補にそれぞれ関連付けられたｍの値の複数の候補とが、上位レイヤシグナリングにより設定されてもよい。この場合、ｗの値は、上位レイヤシグナリングにより設定されてもよいし、ブロードキャスト情報により通知されてもよい。
【００７４】
例えば、指示情報Ａ及びＢのそれぞれがＤＣＩ内の２ビットフィールドである場合、各指示情報は４個の値を取り得る。この場合、図３Ａに示すように、指示情報Ａの４個の値にそれぞれ関連付けられたｋの４つの値と、図３Ｂに示すように、指示情報Ｂの４個の値にそれぞれ関連付けられたｍの４つの値と、が上位レイヤシグナリングによりＵＥに設定されてもよい。その後、ＵＥは、ＤＣＩを受信し、指示情報Ａ及びＢの値にそれぞれ対応するｋ及びｍを認識することにより、スケジューリングタイミング及びＨＡＲＱ−ＡＣＫタイミングを検出してもよい。
【００７５】
ＤＣＩ構成２−１によれば、スケジューリングタイミング及びＨＡＲＱ−ＡＣＫタイミングを独立に設定することができる。例えば、スケジューリングタイミングの変化によらずＨＡＲＱ−ＡＣＫタイミングを設定することができる。
【００７６】
ＤＣＩ構成２−２では、ＤＣＩ構成１−２と同様、ＤＣＩが、スケジューリングタイミングと、ＨＡＲＱ−ＡＣＫタイミングとを指示する１つの指示情報Ｃのフィールドを含む。｛ｋ，ｍ｝の値の組み合わせが、指示情報Ｃの値に関連付けられていてもよい。例えば、指示情報Ｃの値の複数の候補にそれぞれ関連付けられた｛ｋ，ｍ｝の値の組み合わせの複数の候補が、上位レイヤシグナリングにより設定されてもよい。
【００７７】
この場合、ｗの値は、上位レイヤシグナリングにより設定されてもよいし、ブロードキャスト情報により通知されてもよい。
【００７８】
例えば、指示情報Ｃが３ビットフィールドである場合、指示情報Ｃは８個の値を取り得る。この場合、図３Ｃに示すように、指示情報Ｃの８個の値にそれぞれ関連付けられた｛ｋ，ｍ｝の値の８個の組み合わせが、上位レイヤシグナリングにより設定されてもよい。その後、ＵＥは、ＤＣＩを受信し、指示情報Ｃの値に基づいてｋ及びｍの値を認識することにより、スケジューリングタイミング及びＨＡＲＱ−ＡＣＫタイミングを決定してもよい。
【００７９】
ＤＣＩ構成２−２によれば、ｋ及びｍを１つのフィールドで設定することにより、無線基地局からＵＥへｋ及びｍを動的に通知する情報量を抑えることができる。
【００８０】
ＤＣＩ構成２−３では、ＤＣＩが、スケジューリングタイミングと、ＨＡＲＱ−ＡＣＫタイミングと、当該ＤＣＩによりスケジューリングされたスロット数とを指示する１つの指示情報Ｄのフィールドを含む。｛ｋ，ｍ，ｗ｝の値の組み合わせが、指示情報Ｄの値に関連付けられていてもよい。例えば、指示情報Ｃの値の複数の候補にそれぞれ関連付けられた｛ｋ，ｍ，ｗ｝の値の組み合わせの複数の候補が、上位レイヤシグナリングにより設定されてもよい。
【００８１】
例えば、指示情報Ｄが３ビットフィールドである場合、指示情報Ｄは８個の値を取り得る。この場合、図７に示すように、指示情報Ｄの８個の値にそれぞれ関連付けられた｛ｋ，ｍ，ｗ｝の８個の値の組み合わせが、上位レイヤシグナリングにより設定されてもよい。その後、ＵＥは、ＤＣＩを受信し、指示情報Ｄの値に基づいてｋ、ｍ、及びｗの値を認識することにより、スケジューリングタイミングとＨＡＲＱ−ＡＣＫタイミングとスケジューリングされたスロット数とを決定してもよい。
【００８２】
ＤＣＩ構成２−３によれば、ｋ、ｍ及びｗを１つのフィールドで設定することにより、無線基地局からＵＥへｋ、ｍ及びｗを動的に通知する情報量を抑えることができる。
【００８３】
なお、ＤＣＩが、ｋ及びｍの組み合わせを指示する指示情報（フィールド）と、ｗを指示する指示情報（フィールド）とを含んでいてもよい。また、ＤＣＩが、ｋ及びｗの組み合わせを指示する指示情報と、ｍを指示する指示情報とを含んでいてもよい。また、ＤＣＩが、ｍ及びｗの組み合わせを指示する指示情報と、ｋを指示する指示情報とを含んでいてもよい。
【００８４】
なお、本実施形態では、１つのＤＣＩが、連続する複数のスロットをスケジューリングする場合を示しているが、連続しない複数のスロットをスケジューリングしてもよい。この場合、ｗが、ＤＣＩにより示される期間内の全てのスロットの数を示してもよいし、ＤＣＩにより示される期間のうち、スケジューリングされる（ＤＬデータを割り当てられる）スロット数を示してもよい。また、ＤＣＩにより示される期間のうち、スケジューリングされるスロットを示す情報が設定されてもよい。この情報は、スケジューリングされるスロットを示すスロット番号であってもよいし、各スロットのスケジューリングの有無を示すビットマップであってもよい。また、ＤＣＩにより示される期間のうち、スケジューリングされない（ＤＬデータを割り当てられない、空きの）スロットを示す情報が設定されてもよい。
【００８５】
このように、ＤＣＩが連続しない複数のスロットをスケジューリングする場合であっても、ＵＥは、前述のＨＡＲＱ−ＡＣＫ送信方法１、２を適用することができる。
【００８６】
（無線通信システム）
以下、本発明の一実施形態に係る無線通信システムの構成について説明する。この無線通信システムでは、本発明の上記各実施形態に係る無線通信方法のいずれか又はこれらの組み合わせを用いて通信が行われる。
【００８７】
図８は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【００８８】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【００８９】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示すものに限られない。
【００９０】
ユーザ端末２０は、無線基地局１１及び無線基地局１２の双方に接続することができる。ユーザ端末２０は、マクロセルＣ１及びスモールセルＣ２を、ＣＡ又はＤＣにより同時に使用することが想定される。また、ユーザ端末２０は、複数のセル（ＣＣ）（例えば、５個以下のＣＣ、６個以上のＣＣ）を用いてＣＡ又はＤＣを適用してもよい。
【００９１】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００９２】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【００９３】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【００９４】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【００９５】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【００９６】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【００９７】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【００９８】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨにより、ユーザデータ、上位レイヤ制御情報、ＳＩＢ（System  Information  Block）などが伝送される。また、ＰＢＣＨにより、ＭＩＢ（Master  Information  Block）が伝送される。
【００９９】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及び／又はＰＵＳＣＨのスケジューリング情報を含む下り制御情報（ＤＣＩ：Downlink  Control  Information）などが伝送される。
【０１００】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１０１】
ＰＣＦＩＣＨにより、ＰＤＣＣＨに用いるＯＦＤＭシンボル数が伝送される。ＰＨＩＣＨにより、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１０２】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報などが伝送される。また、ＰＵＣＣＨにより、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨにより、セルとの接続確立のためのランダムアクセスプリアンブルが伝送される。
【０１０３】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１０４】
（無線基地局）
図９は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１０５】
下りリンクにより無線基地局１０からユーザ端末２０に送信されるユーザデータは、上位局装置３０から伝送路インターフェース１０６を介してベースバンド信号処理部１０４に入力される。
【０１０６】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１０７】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１０８】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１０９】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１１０】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１１１】
また、送受信部１０３は、ユーザ端末２０によるＤＬ制御情報の受信タイミング（無線基地局１０によるＤＬ制御情報の送信タイミング）と、ユーザ端末２０によるＤＬデータの受信タイミング（無線基地局１０によるＤＬデータの送信タイミング）と、ユーザ端末２０による送達確認情報（例えばＨＡＲＱ−ＡＣＫ）の送信タイミング（無線基地局１０による送達確認情報の受信タイミング）と、の関係を示すＤＬ制御情報をユーザ端末２０へ送信してもよい。
【０１１２】
また、送受信部１０３は、ＤＬデータの送信タイミングにおいて、当該ＤＬデータを送信してもよい。また、送受信部１０３は、送達確認情報の受信タイミングにおいて、当該送達確認情報を受信してもよい。
【０１１３】
図１０は、本発明の一実施形態に係る無線基地局の機能構成の一例を示す図である。なお、本例では、本実施形態における特徴部分の機能ブロックを主に示しており、無線基地局１０は、無線通信に必要な他の機能ブロックも有しているものとする。
【０１１４】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１１５】
制御部（スケジューラ）３０１は、無線基地局１０全体の制御を実施する。制御部３０１は、本発明に係る技術分野での共通認識に基づいて説明されるコントローラ、制御回路又は制御装置から構成することができる。
【０１１６】
制御部３０１は、例えば、送信信号生成部３０２による信号の生成、マッピング部３０３による信号の割り当てなどを制御する。また、制御部３０１は、受信信号処理部３０４による信号の受信処理、測定部３０５による信号の測定などを制御する。
【０１１７】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。また、制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１１８】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１１９】
送信信号生成部３０２は、制御部３０１からの指示に基づいて、下り信号（下り制御信号、下りデータ信号、下り参照信号など）を生成して、マッピング部３０３に出力する。送信信号生成部３０２は、本発明に係る技術分野での共通認識に基づいて説明される信号生成器、信号生成回路又は信号生成装置から構成することができる。
【０１２０】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１２１】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０１２２】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本発明に係る技術分野での共通認識に基づいて説明される信号処理器、信号処理回路又は信号処理装置から構成することができる。
【０１２３】
受信信号処理部３０４は、受信処理により復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１２４】
測定部３０５は、受信した信号に関する測定を実施する。測定部３０５は、本発明に係る技術分野での共通認識に基づいて説明される測定器、測定回路又は測定装置から構成することができる。
【０１２５】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１２６】
また、制御部３０１は、ＤＬ制御情報の送信と、ＤＬデータの送信と、当該ＤＬデータに対する送達確認情報の受信と、を制御してもよい。
【０１２７】
また、制御部３０１は、ＤＬデータのスケジューリングと、当該ＤＬデータに対する送達確認情報のタイミングの決定とを行い、その結果に基づいてＤＬ制御情報を生成してもよい。
【０１２８】
（ユーザ端末）
図１１は、本発明の一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１２９】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１３０】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１３１】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１３２】
また、送受信部２０３は、ＤＬ制御情報を受信してもよい。また、送受信部２０３は、ＤＬ制御情報でスケジューリングされるＤＬデータを受信してもよい。また、送受信部２０３は、ＤＬデータに対する送達確認情報を送信してもよい。
【０１３３】
図１２は、本発明の一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有しているものとする。
【０１３４】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１３５】
制御部４０１は、ユーザ端末２０全体の制御を実施する。制御部４０１は、本発明に係る技術分野での共通認識に基づいて説明されるコントローラ、制御回路又は制御装置から構成することができる。
【０１３６】
制御部４０１は、例えば、送信信号生成部４０２による信号の生成、マッピング部４０３による信号の割り当てなどを制御する。また、制御部４０１は、受信信号処理部４０４による信号の受信処理、測定部４０５による信号の測定などを制御する。
【０１３７】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１３８】
制御部４０１は、無線基地局１０から通知された各種情報を受信信号処理部４０４から取得した場合、当該情報に基づいて制御に用いるパラメータを更新してもよい。
【０１３９】
送信信号生成部４０２は、制御部４０１からの指示に基づいて、上り信号（上り制御信号、上りデータ信号、上り参照信号など）を生成して、マッピング部４０３に出力する。送信信号生成部４０２は、本発明に係る技術分野での共通認識に基づいて説明される信号生成器、信号生成回路又は信号生成装置から構成することができる。
【０１４０】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１４１】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０１４２】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１４３】
受信信号処理部４０４は、受信処理により復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１４４】
測定部４０５は、受信した信号に関する測定を実施する。測定部４０５は、本発明に係る技術分野での共通認識に基づいて説明される測定器、測定回路又は測定装置から構成することができる。
【０１４５】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ）、信号強度（例えば、ＲＳＳＩ）、伝搬路情報（例えば、ＣＳＩ）などについて測定してもよい。測定結果は、制御部４０１に出力されてもよい。
【０１４６】
また、制御部４０１は、ＤＬ制御情報でスケジューリングされるＤＬデータの受信と、当該ＤＬデータの送達確認情報の送信と、を制御してもよい。ＤＬ制御情報は、ＤＬ制御情報の受信タイミングと、ＤＬデータの受信タイミングと、送達確認情報の送信タイミングと、の関係を示していてもよい。
【０１４７】
また、ＤＬ制御情報は、ＤＬ制御情報の受信タイミングと、ＤＬデータの受信タイミングと、送達確認情報の送信タイミングとの関係を、スロット単位で示してもよい。
【０１４８】
また、ＤＬ制御情報は、ＤＬ制御情報の受信タイミング及びＤＬデータの受信タイミングの関係（例えば時間差、ｋ）と、ＤＬ制御情報の受信タイミング及び送達確認情報の送信タイミングの関係（例えば時間差、ｍ）とを示してもよい（例えばＨＡＲＱ−ＡＣＫタイミング設定方法１、１−１、２−１）。また、ＤＬ制御情報は、ＤＬ制御情報の受信タイミング及びＤＬデータの受信タイミングの関係（例えば時間差、ｋ）と、ＤＬデータの受信タイミング及び送達確認情報の送信タイミングの関係（例えば時間差、ｍ）とを示してもよい（例えばＨＡＲＱ−ＡＣＫタイミング設定方法２、１−２、２−２）。
【０１４９】
また、制御部４０１は、ＤＬ制御情報を受信するスロットよりも後のスロットで、ＤＬデータの受信を制御してもよい。
【０１５０】
また、制御部４０１は、ＤＬ制御情報に基づいて、複数のスロットにわたって複数のＤＬデータをそれぞれ受信することを制御し、１つのスロットで複数のＤＬデータの送達確認情報を送信することを制御してもよい。
【０１５１】
また、制御部４０１は、ＤＬ制御情報に基づいて、複数のスロットにわたって複数のＤＬデータをそれぞれ受信することを制御し、複数のスロットにわたって複数の送達確認情報をそれぞれ送信することを制御してもよい。
【０１５２】
また、ＤＬデータの受信タイミングと、送達確認情報の送信タイミングと、の関係は、ユーザ端末２０の能力を示す情報に基づいて決定されてもよい。
【０１５３】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０１５４】
例えば、本発明の一実施形態における無線基地局、ユーザ端末などは、本発明の無線通信方法の処理を行うコンピュータとして機能してもよい。図１３は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１５５】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１５６】
例えば、プロセッサ１００１は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ１００１は、１以上のチップで実装されてもよい。
【０１５７】
無線基地局１０及びユーザ端末２０における各機能は、例えば、プロセッサ１００１、メモリ１００２などのハードウェア上に所定のソフトウェア（プログラム）を読み込ませることで、プロセッサ１００１が演算を行い、通信装置１００４による通信を制御したり、メモリ１００２及びストレージ１００３におけるデータの読み出し及び／又は書き込みを制御したりすることで実現される。
【０１５８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述のベースバンド信号処理部１０４（２０４）、呼処理部１０５などは、プロセッサ１００１で実現されてもよい。
【０１５９】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、ユーザ端末２０の制御部４０１は、メモリ１００２に格納され、プロセッサ１００１で動作する制御プログラムによって実現されてもよく、他の機能ブロックについても同様に実現されてもよい。
【０１６０】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つで構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０１６１】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ１００３は、補助記憶装置と呼ばれてもよい。
【０１６２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４で実現されてもよい。
【０１６３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１６４】
また、プロセッサ１００１、メモリ１００２などの各装置は、情報を通信するためのバス１００７で接続される。バス１００７は、単一のバスで構成されてもよいし、装置間で異なるバスで構成されてもよい。
【０１６５】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１６６】
（変形例）
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１６７】
また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。サブフレームは、ニューメロロジーに依存しない固定の時間長（例えば、１ｍｓ）であってもよい。
【０１６８】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）で構成されてもよい。また、スロットは、ニューメロロジーに基づく時間単位であってもよい。また、スロットは、複数のミニスロットを含んでもよい。各ミニスロットは、時間領域において１つ又は複数のシンボルで構成されてもよい。また、ミニスロットは、サブスロットと呼ばれてもよい。
【０１６９】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１７０】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１７１】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１７２】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１７３】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１７４】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１７５】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックで構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１７６】
また、リソースブロックは、１つ又は複数のリソースエレメント（ＲＥ：Resource  Element）で構成されてもよい。例えば、１ＲＥは、１サブキャリア及び１シンボルの無線リソース領域であってもよい。
【０１７７】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１７８】
また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式などは、本明細書で明示的に開示したものと異なってもよい。
【０１７９】
本明細書においてパラメータなどに使用する名称は、いかなる点においても限定的なものではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的なものではない。
【０１８０】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１８１】
また、情報、信号などは、上位レイヤから下位レイヤ、及び／又は下位レイヤから上位レイヤへ出力され得る。情報、信号などは、複数のネットワークノードを介して入出力されてもよい。
【０１８２】
入出力された情報、信号などは、特定の場所（例えば、メモリ）に保存されてもよいし、管理テーブルで管理してもよい。入出力される情報、信号などは、上書き、更新又は追記をされ得る。出力された情報、信号などは、削除されてもよい。入力された情報、信号などは、他の装置へ送信されてもよい。
【０１８３】
情報の通知は、本明細書で説明した態様／実施形態に限られず、他の方法で行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１８４】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））で通知されてもよい。
【０１８５】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０１８６】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１８７】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１８８】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０１８９】
本明細書で使用する「システム」及び「ネットワーク」という用語は、互換的に使用される。
【０１９０】
本明細書では、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０１９１】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０１９２】
本明細書では、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０１９３】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１９４】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０１９５】
同様に、本明細書におけるユーザ端末は、無線基地局で読み替えてもよい。この場合、上述のユーザ端末２０が有する機能を無線基地局１０が有する構成としてもよい。
【０１９６】
本明細書において、基地局によって行われるとした特定動作は、場合によってはその上位ノード（upper  node）によって行われることもある。基地局を有する１つ又は複数のネットワークノード（network  nodes）から成るネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０１９７】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１９８】
本明細書で説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０１９９】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２００】
本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０２０１】
本明細書で使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２０２】
本明細書で使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」と読み替えられてもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び／又は光（可視及び不可視の両方）領域の波長を有する電磁エネルギーなどを使用することにより、互いに「接続」又は「結合」されると考えることができる。
【０２０３】
本明細書又は請求の範囲で「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２０４】
以上、本発明について詳細に説明したが、当業者にとっては、本発明が本明細書中に説明した実施形態に限定されるものではないということは明らかである。本発明は、請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【図１】
2018158923.tif 000003
【図２】
2018158923.tif 000004
【図３】
2018158923.tif 000005
【図４】
2018158923.tif 000006
【図５】
2018158923.tif 000007
【図６】
2018158923.tif 000008
【図７】
2018158923.tif 000009
【図８】
2018158923.tif 000010
【図９】
2018158923.tif 000011
【図１０】
2018158923.tif 000012
【図１１】
2018158923.tif 000013
【図１２】
2018158923.tif 000014
【図１３】
2018158923.tif 000015
【国際調査報告】
2018158923.tif 000016
2018158923.tif 000017
2018158923.tif 000018
2018158923.tif 000019